(57)【要約】通信確立方法は、現在の通信端末の第１の通信番号を獲得することと、入力画像を獲得し、画像に従って情報コードを取得することであって、情報コードは、第２の通信番号に対応する、情報コードを取得することと、呼情報を予め定められたサーバに送信することであって、呼情報は、第１の通信番号及び情報コードが付属される、呼情報を予め定められたサーバに送信することとを含む。現在の通信端末は、画像に従って情報コードを取得し、第１の通信番号を使用する現在の通信端末と第２の通信番号を使用する通信端末との間で通信を確立するために、情報コード及び現在の通信端末の第１の通信番号を予め定められたサーバに提供する。よって、現在の通信端末のユーザは、他のユーザによって使用される第２の通信番号を取得する必要がなく、それは、第２の通信番号を使用するユーザの番号のプライバシを保護する。
2018533856.tif 000002
【特許請求の範囲】
【請求項１】
第１の通信端末であって、
１つまたは複数のプロセッサと、
前記１つまたは複数のプロセッサによって実行可能なコンピュータ実行可能命令を記憶した１つまたは複数のメモリであって、
前記第１の通信端末の第１の通信番号を獲得することと、
画像を獲得することと、
前記画像に従って情報コードを取得することであって、前記情報コードは、第２の通信  端末の第２の通信番号に対応する、前記情報コードを取得することと、
呼情報をサーバに送信することであって、前記呼情報は、前記情報コードを含む、前記呼情報をサーバに送信することと、
を含む動作を実行させるコンピュータ実行可能命令を内部に記憶する前記１つまたは複数のメモリと、
を備える、前記第１の通信端末。
【請求項２】
前記画像を獲得することは、前記画像を捕捉するためにカメラデバイスを使用することを含む、請求項１に記載の第１の通信端末。
【請求項３】
前記第１の通信端末は、カメラデバイスを含む、請求項２に記載の第１の通信端末。
【請求項４】
前記画像は、
バーコード画像、
二次元コード画像、または
三次元コード画像を含む、請求項１に記載の第１の通信端末。
【請求項５】
前記呼情報を前記サーバに送信することは、前記情報コードに従って前記第２の通信番号を決定することを前記サーバに要求することを含む、請求項１に記載の第１の通信端末。
【請求項６】
前記呼情報を前記サーバに送信することはさらに、前記第１の通信番号及び前記第２の通信番号に従って前記第１の通信端末と前記第２の通信端末との間で通信を確立することを前記サーバに要求することを含む、請求項５に記載の第１の通信端末。
【請求項７】
前記呼情報はさらに、前記第１の通信番号または前記第１の通信番号を表す識別を含む、請求項１に記載の第１の通信端末。
【請求項８】
通信確立方法であって、
第１の通信端末の第１の通信番号を獲得することと、
画像を獲得することと、
前記画像に従って情報コードを取得することであって、前記情報コードは、第２の通信端末の第２の通信番号に対応する、前記情報コードを取得することと、
呼情報をサーバに送信することであって、前記呼情報は、前記情報コードを含むことと、
を備える前記通信確立方法。
【請求項９】
前記画像を獲得することは、前記画像を捕捉するためにカメラデバイスを使用することを含む、請求項８に記載の通信確立方法。
【請求項１０】
前記呼情報はさらに、前記第１の通信番号または前記第１の通信番号を表す識別を含む、請求項８に記載の通信確立方法。
【請求項１１】
前記画像は、
バーコード画像、
二次元コード画像、または
三次元コード画像を含む、請求項８に記載の通信確立方法。
【請求項１２】
前記呼情報を前記サーバに送信することは、前記情報コードに従って前記第２の通信番号を決定することを前記サーバに要求することを含む、請求項８に記載の通信確立方法。
【請求項１３】
前記呼情報を前記サーバに送信することはさらに、前記第１の通信番号及び前記第２の通信番号に従って前記第１の通信端末と前記第２の通信端末との間で通信を確立することを前記サーバに要求することを含む、請求項１２に記載の通信確立方法。
【請求項１４】
通信確立方法であって、
呼情報を受信することであって、前記呼情報は、第１の通信端末に対応する第１の通信番号及情報コードが付属される、前記呼情報を受信することと、
前記情報コードに従って第２の通信端末に対応する第２の通信番号を獲得することと、
前記第１の通信端末と前記第２の通信端末との間で通信を確立することを基本通信サーバに要求するために呼セットアップ要求を前記基本通信サーバに送信することであって、前記呼セットアップ要求は、前記第１の通信番号及び前記第２の通信番号を含む前記送信することと、
を備える、前記通信確立方法。
【請求項１５】
前記第２の通信番号を獲得することは、
前記情報コードに従って対応する注文データを取得することと、
前記第２の通信番号を前記注文データから獲得することと、
を含む、請求項１４に記載の通信確立方法。
【請求項１６】
前記第２の通信番号を獲得することは、
前記情報コードに従って対応する顧客識別情報を獲得することと、
前記顧客識別情報に従って前記第２の通信番号を獲得することと、
を含む、請求項１４に記載の通信確立方法。
【請求項１７】
前記情報コードと前記第２の通信番号との間の対応関係に対して終了イベントを設定することと、
前記終了イベントが発生することを検出することと、
前記情報コードと前記第２の通信番号との間の前記対応関係を解消することと、
をさらに備える、請求項１４に記載の通信確立方法。
【請求項１８】
前記情報コードは、注文データを含み、
前記終了イベントは、前記注文データの状態に従って決定され、
前記終了イベントは、前記注文データの無効化を含む、
請求項１４に記載の通信確立方法。
【請求項１９】
一時通信番号を前記呼情報に割り当てることであって、前記一時通信番号は、前記第２の通信番号と関連付けられる、前記一時通信番号を前記呼情報に割り当てることと、
前記第１の通信端末において前記一時通信番号を前記第２の通信番号の代わりに表示するために前記一時通信番号を前記第１の通信端末に返却することと、
をさらに備える、請求項１４に記載の通信確立方法。
【請求項２０】
第１の一時通信番号及び第２の一時通信番号を前記呼情報に割り当てることであって、前記第１の一時通信番号は、前記第２の通信番号と関連付けられ、前記第２の一時通信番号は、前記第１の通信番号と関連付けられ、前記第１の一時通信番号は、前記第２の一時通信番号と同一または異なる、前記割り当てることと、
前記第１の通信端末において前記第１の一時通信番号を前記第２の通信番号の代わりに表示するために前記第１の一時通信番号を前記第１の通信端末に返却することと、
前記第２の通信端末において前記第２の一時通信番号を前記第１の通信番号の代わりに表示するために前記第２の一時通信番号を前記第２の通信端末に返却することと、をさらに備える、請求項１４に記載の通信確立方法。
【発明の詳細な説明】
【技術分野】
【０００１】
関連出願の相互参照
本開示は、参照によってその全体が以下に組み込まれる、「ＭＥＴＨＯＤ、ＣＬＩＥＮＴ  ＴＥＲＭＩＮＡＬ  ＡＮＤ  ＳＥＲＶＥＲ  ＦＯＲ  ＥＳＴＡＢＬＩＳＨＩＮＧ  ＣＯＭＭＵＮＩＣＡＴＩＯＮ」と題する２０１５年８月１９日に出願された中国特許出願第２０１５１０５１１３９０．３号の利益を主張する。
【０００２】
本開示は、通信技術の分野、特に、通信を確立する方法、クライアント端末及びサーバに関する。
【背景技術】
【０００３】
電話番号は個人的なものである。人々はそれらの個人電話番号を他人と選択的に共有して、個人間の通信を維持するが、それらの人々は、不正通話、種々の広告及びスパムショートメッセージを防止するためにそれらの個人電話番号を簡単には広めることを希望しない。
【０００４】
従来技術では、１人の当事者が別の当事者に発呼する必要があるとき、発呼者は一般的に、着呼者の電話番号を知る必要がある。例えば、配送をするとき、配達人は、受取人と連絡を取る必要があり、通常、配達人は、ｅｘｐｒｅｓｓ  ｗａｙｂｉｌｌに記録された電話番号に従って受取人に発呼することがある。よって、物流会社が、多くの受取人の名前及び電話番号を時間と共に蓄積することができる。しかしながら、いくつかのケースでは、それらの蓄積された名前及び電話番号が誤って第三者に公開され、または悪意を持って第三者に漏洩されると、上述した不正通話、広告及びスパムショートメッセージなど、それらの電話番号のユーザに対して困ったことになる場合がある。
【発明の概要】
【０００５】
この発明の概要は、発明の詳細な説明において以下でさらに説明される簡易化された形式で概念の選択を導入するために提供される。この発明の概要は、特許請求される主題の全ての重要な特徴もしくは必須の特徴を特定することを意図しておらず、特許請求される主題の範囲を判定する際の支援としてのみ使用されることも意図していない。用語「技術（複数可）または技術的解決策（複数可）（ｔｅｃｈｎｉｑｕｅ（ｓ）  ｏｒ  ｔｅｃｈｎｉｃａｌ  ｓｏｌｕｔｉｏｎ（ｓ））」は例えば、上記コンテキストによって許容されるように、かつ本開示全体を通じて、装置（複数可）、システム（複数可）、方法（複数可）及び／またはコンピュータ可読命令を指しても良い。
【０００６】
本開示の実施態様の目的は、ユーザの番号のプライバシを保護することが可能な通信確立方法、クライアント端末、及びサーバを提供することである。
【０００７】
上記技術的課題を解決するために、本開示は、現在の通信端末の第１の通信番号を獲得することと、入力画像を受信して、画像に従って情報コードを取得することであって、情報コードは、第２の通信番号に対応する、情報コードを取得することと、呼情報を予め定められたサーバに送信することであって、呼情報は、第１の通信番号及び情報コードが付属される、呼情報を予め定められたサーバに送信することとを含む、通信確立方法を提供する。
【０００８】
本開示はさらに、現在の通信端末の第１の通信番号を獲得する第１の獲得モジュールと、入力画像を受信し、画像に従って情報コードを取得する第１の受信モジュールであって、情報コードは、第２の通信番号に対応する、第１の受信モジュールと、呼情報を予め定められたサーバに送信する第１の送信モジュールであって、呼情報は、第１の通信番号及び情報コードが付属される、第１の送信モジュールとを含む、クライアント端末を提供する。
【０００９】
本開示はさらに、呼情報を受信することであって、呼情報は、第１の通信番号及び情報コードが付属され、情報コードは、ｅｘｐｒｅｓｓ  ｗａｙｂｉｌｌ番号である、呼情報を受信することと、情報コードに従って第２の通信番号を獲得することと、呼セットアップ要求を基本通信サーバに送信することであって、呼セットアップ要求は、第１の通信番号及び第２の通信番号が付属され、呼セットアップ要求は、第１の通信番号を使用する第１の通信端末と第２の通信番号を使用する第２の通信端末との間で通信を確立することを基本通信サーバに要求するために使用される、呼セットアップ要求を基本通信サーバに送信することとを含む、通信確立方法を提供する。
【００１０】
本開示はさらに、呼情報を受信する第２の受信モジュールであって、呼情報は、第１の通信番号及びｅｘｐｒｅｓｓ  ｗａｙｂｉｌｌ番号などの情報コードが付属される、第２の受信モジュールと、情報コードに従って対応する第２の通信番号を獲得する第２の獲得モジュールと、呼セットアップ要求を基本通信サーバに送信する第２の送信モジュールであって、呼セットアップ要求は、第１の通信番号及び第２の通信番号が付属され、呼セットアップ要求は、第１の通信番号を使用する第１の通信端末と第２の通信番号を使用する第２の通信端末との間で通信を確立することを基本通信サーバに要求するために使用される、第２の送信モジュールとを含む、サーバを提供する。
【００１１】
本開示はさらに、呼情報を受信することであって、呼情報は、第１の通信番号及びｅｘｐｒｅｓｓ  ｗａｙｂｉｌｌ番号などの情報コードが付属される、呼情報を受信することと、情報コードに従って対応する第２の通信番号を獲得することと、第１の通信番号を使用する第１の通信端末及び第２の通信番号を使用する第２の通信端末それぞれに対する呼要求を開始することと、第１の通信端末及び第２の通信端末がそれぞれ呼要求を受け付けるときに第１の通信端末及び第２の通信端末に対する通信を確立することとを含む、通信確立方法を提供する。
【００１２】
本開示はさらに、呼情報を受信する第３の受信モジュールであって、呼情報は、第１の通信番号及びｅｘｐｒｅｓｓ  ｗａｙｂｉｌｌ番号などの情報コードが付属される、第３の受信モジュールと、情報コードに従って対応する第２の通信番号を獲得する第３の獲得モジュールと、第１の通信番号を使用する第１の通信端末及び第２の通信番号を使用する第２の通信端末それぞれに対する呼要求を開始するように構成された第３の送信モジュールと、第１の通信端末及び第２の通信端末がそれぞれ呼要求を受け付けるときに第１の通信端末及び第２の通信端末に対する通信を確立する通信確立モジュールとを含む、サーバを提供する。
【００１３】
本開示の実施態様で提供される上述した技術的解決策から示されるように、現在の通信端末は、受信された入力画像に従って情報コードを取得し、情報コード及び現在の通信端末の第１の通信番号を予め定められたサーバに提供して、第１の通信番号を使用する現在の通信端末及び第２の通信番号を使用する通信端末に対して通信を確立するように処理する。よって、通信確立処理全体で、現在の通信端末のユーザは、他のユーザによって使用される第２の通信番号を取得する必要がない。したがって、第２の通信番号を使用するユーザの番号のプライバシがより良好に保護され、すなわち、第２の通信番号を情報コードによって表すことができ、それは、第２の通信番号の開示を回避する。さらに、そのような通信確立方法は、第２の通信番号をダイヤルすることなく、第２の通信番号を使用する通信端末への発呼を開始することができ、それは、発呼の開始を促進する。
【００１４】
本開示の例示的な実施形態の技術的解決策をより明確に説明するために、実施形態を説明するために使用されることになる図面の簡易的な導入が以下でなされる。明らかに、以下で説明される図面は、本開示のいくつかの実施形態を表しているにすぎず、創造的努力なしに他の図面が当業者によってそれらの図面から得られても良い。
【図面の簡単な説明】
【００１５】
【図１】本開示の実施態様に従った、通信確立方法のフローチャートである。
【図２】本開示の実施態様に従った、クライアント端末のモジュール図である。
【図３】本開示の実施態様に従った、通信確立方法のフローチャートである。
【図４】本開示の実施態様に従った、通信確立方法のフローチャートである。
【図５】本開示の実施態様に従った、通信確立方法のフローチャートである。
【図６】本開示の実施態様に従った、通信確立方法のフローチャートである。
【図７】本開示の実施態様に従った、サーバのモジュール図である。
【図８】本開示の実施態様に従った、通信確立方法のフローチャートである。
【図９】本開示の実施態様に従った、通信確立方法のフローチャートである。
【図１０】本開示の実施態様に従った、通信確立方法のフローチャートである。
【図１１】本開示の実施態様に従った、サーバのモジュール図である。
【発明を実施するための形態】
【００１６】
本開示の例示的な実施形態における技術的解決策は、本開示の例示的な実施形態における添付図面を参照して以下で明確かつ完全に説明される。明らかに、説明されることになる例示的な実施形態は、本開示の実施形態の一部を表しているにすぎず、その全てではない。創造的努力なしに本開示の例示的な実施形態に基づいて当業者によって得られる全ての他の実施形態が本開示の保護範囲に属することになる。
【００１７】
図１を参照すると、本開示の実施態様は、以下のステップを含む通信確立方法を提供する。
【００１８】
ステップＳ１０２：現在の通信端末の第１の通信番号が獲得される。
【００１９】
実施態様では、現在の通信端末は、ユーザに対するユーザ操作インタフェースを提供すること及び通信ネットワークにアクセスすることが可能ないずれかの端末デバイスであっても良い。例えば、現在の通信端末は、モバイルスマートフォン、ポータブルコンピュータ（ノートブックコンピュータなど）、タブレット電子デバイス、携帯情報端末（ＰＤＡ）、またはスマートウェアラブルデバイスなどの、モバイル通信を実装することが可能な電子デバイスであっても良い。
【００２０】
実施態様では、現在の通信端末は、第１の通信番号が付属（ａｔｔａｃｈｅｄ  ｗｉｔｈ）しても良い。第１の通信番号は、現在の通信端末を一意に識別することができ、現在の通信端末との通信は、第１の通信番号に発呼することによって確立されても良い。例えば、現在の通信端末は、通信番号を有することができる、加入者識別モジュール（ＳＩＭ）を含むモバイルスマートフォンであっても良い。現在の通信端末が第１の通信番号を有する加入者識別モジュールを使用する限り、第１の通信番号は、現在の通信端末に対応する。第１の通信番号は、携帯電話番号であっても良く、及びいずれの番号区分にも限定されない。
【００２１】
実施態様では、第１の通信番号は、第１の通信番号を現在の通信端末の記憶モジュールに記憶すること、第１の通信番号を記憶モジュールから読み出すこと、第１の通信番号を加入者識別モジュールに記録すること、第１の通信番号を加入者識別モジュールから読み出すことによって獲得されても良い。
【００２２】
ステップＳ１０４：入力画像が受信され、画像に従って情報コードが取得され、情報コードは、第２の通信番号に対応する。
【００２３】
実施態様では、画像は、対応して情報を記憶し、及び情報を表現するために使用されるグラフィック識別子であっても良い。例えば、画像は、バーコード画像、二次元コード画像、及び三次元コード画像を含んでも良い。画像を予め定められた構文解析ルールで構文解析することによって、画像に対応する記憶された識別情報が獲得される。
【００２４】
実施態様では、情報コードは、情報を一意に識別するために使用される定義コードであっても良い。例えば、情報コードは、ｅｘｐｒｅｓｓ  ｗａｙｂｉｌｌに印字され、及びエクスプレスアイテム（ｅｘｐｒｅｓｓ  ｉｔｅｍ）の詳細情報を含むｅｘｐｒｅｓｓ  ｗａｙｂｉｌｌ番号であっても良く、商品包装バッグに印字され、及び商品番号を識別するために使用されるＩｎｔｅｒｎａｔｉｏｎａｌ  Ａｒｔｉｃｌｅ番号もしくはＥｕｒｏｐｅａｎ  Ａｒｔｉｃｌｅ番号（ＥＡＮ）コードであっても良く、または紙媒体もしくは電子表示媒体上に提示され、ならびにオンラインディスカウント情報、ロッタリ情報及びサービスブッキングなどの商人の商品情報に消費者をリンクするために使用されるウェブサイトであっても良い。いくつかの実施形態では、情報コードはさらに、ビジネスマンの個人ビジネスカード上の独自の署名もしくはカスタマイズされたユーザ名、または企業の冊子における企業の名前、アドレスもしくはウェブサイトなどの、他の形式にあっても良く、本開示の例示的な実施形態は、それらに対していずれの制限も課さない。
【００２５】
実施態様では、入力画像は、画像を入力するためにカメラデバイスによって画像をスキャン及び捕捉すること、または他の通信デバイスによって送信された画像を受信すること、または画像を予め定められたウェブサイトアドレスからダウンロードすることによって受信されても良い。特定の実施態様では、カメラデバイスで構成されたモバイル端末は、ｅｘｐｒｅｓｓ  ｗａｙｂｉｌｌ上のバーコード画像を捕捉してエクスプレスアイテムのｅｘｐｒｅｓｓ  ｗａｙｂｉｌｌ番号を獲得するために使用されても良く、カメラデバイスで構成されたモバイル端末は、商品の包装バッグ上のバーコード画像を捕捉して商品のＥＡＮコードを獲得するために使用されても良い。
【００２６】
実施態様では、受信された画像は、情報コードを構文解析するために分析及び識別されても良い。例えば、画像は、バーコード画像、二次元コード画像、及び三次元コード画像のうちのいずれか１つであっても良い。情報を識別するために使用される画像と情報コードとの間に一意な対応関係があり、画像を受け付けること及びそれを予め定められた構文解析ルールで構文解析することによって、対応する情報コードが獲得される。
【００２７】
実施態様では、情報コードは第２の通信番号に対応し、それは、情報コードと第２の通信番号との間で対応関係があることを示し、そのような対応関係は、第１の通信番号を使用する現在の通信端末と第２の通信番号を使用する通信端末との間で通信を確立するために使用されても良い。例えば、情報コードは、ｅｘｐｒｅｓｓ  ｗａｙｂｉｌｌ番号、ＥＡＮコード、ウェブサイト、または二次元コードを含んでも良い。さらなる特定の実施態様では、ｅｘｐｒｅｓｓ  ｗａｙｂｉｌｌ番号は、エクスプレス受取人（ｅｘｐｒｅｓｓ  ｒｅｃｉｐｉｅｎｔ）の連絡先番号、商品の製造者の販売後サービス番号に対応することができる商品のＥＡＮコード、商人の顧客サービスホットライン番号に対応することができる商人のウェブサイト、ビジネスグループを識別することができ、及びビジネスグループの連絡先番号に対応する二次元コードに対応しても良い。特定のビジネスグループは、政府、組織、企業、または個人などであっても良い。いくつかの例示的な実施形態では、情報コードはさらに、ビジネスマンの連絡先番号に対応することができるビジネスマンの個人ビジネスカード上の独自の署名もしくはカスタマイズされたユーザ名、または企業のコンサルティング番号に対応することができる企業の冊子における企業の名前、アドレス、ウェブサイトもしくは同種のものなどの、実際の状況に従った他の形式にあっても良く、本開示の例示的な実施形態は、それらに対しいずれの制限も課さない。
【００２８】
実施態様では、第２の通信番号は、通信端末を一意に識別することができ、通信端末との通信は、第２の通信番号に発呼することによって確立されても良い。例えば、第２の通信番号を使用した通信端末は、通信番号を有する、加入者識別モジュール（ＳＩＭ）を含む携帯電話であっても良い。第２の通信番号は、陸線電話番号または携帯電話番号とすることができる、ユーザの電話番号であっても良く、及びいずれの番号区分に限定されない。
【００２９】
実施態様では、情報コードは、事前設定された文字列であっても良く、情報コードと第２の通信番号との間の対応付けは、情報コード及び第２の通信番号を対応してサーバに記録することによって実装されても良い。例えば、データテーブルは、サーバにおいて設定され、情報コード及び第２の通信番号は、対応してデータテーブルに記録される。このようにして、それらの両方の間の対応付けが実装される。さらに、データを検索及び取り出すことも容易である。
【００３０】
ステップＳ１０６：呼情報が予め定められたサーバに送信され、呼情報は、第１の通信番号及び情報コードが付属される。
【００３１】
実施態様では、予め定められたサーバは、情報コードに従って第２の通信番号を獲得しても良く、それによって、第１の通信番号と第２の通信番号との間で通信が確立される。予め定められたサーバは、情報コードを取得した後に、記憶されたデータから情報コードに対応する第２の通信番号を読み出すことができ、第１の通信番号及び第２の通信番号を基本通信サーバに提供することができ、それによって、基本通信サーバが第１の通信番号を使用する現在の通信端末と第２の通信番号を使用する通信端末との間で通信を確立する、サービスサーバであっても良い。予め定められたサーバはまた、記憶されたデータから、呼情報に付属された情報コードに従って、情報コードに対応する第２の通信番号を獲得することができ、ならびに呼情報に付属された第１の通信番号及び獲得された第２の通信番号に従って、第１の通信番号を使用する現在の通信端末と第２の通信番号を使用する通信端末との間で通信を確立することができる、電気通信オペレータのサーバであっても良い。
【００３２】
実施態様では、呼情報は、予め定められたフォーマットにあることができる、予め定められた内容を有する文字列であっても良い。呼情報は、第１の通信番号を使用する現在の通信端末と第２の通信番号を使用する通信端末との間で通信が確立される必要があることを示すために使用されても良い。呼情報は、第１の通信番号及び情報コードが付属され、第１の通信番号及び情報コードの両方は、呼情報の内容の一部であっても良く、及び予め定められたセパレータを使用することによって、または予め定められたバイト長を指定することによって区別されても良く、第１の通信番号及び情報コードのうちの１つが呼情報の内容の一部として使用され、及びもう一方が呼情報の付属（ａｔｔａｃｈｍｅｎｔ）として使用され、または第１の通信番号及び情報コードの両方が呼情報の付属として使用される。
【００３３】
実施態様では、呼情報は、２Ｇ／３Ｇ／４Ｇ、Ｗｉ−Ｆｉ、またはＢｌｕｅｔｏｏｔｈ技術などの無線通信を通じて予め定められたサーバに送信されても良い。
【００３４】
本開示の実施態様では、現在の通信端末は、受信された入力画像に従って情報コードを取得し、ならびに第１の通信番号を使用する現在の通信端末と第２の通信番号を使用する通信端末との間で通信を確立するように処理するために情報コード及び現在の通信端末の第１の通信番号を予め定められたサーバに提供し、それによって、通信確立処理全体で、現在の通信端末のユーザが他のユーザによって使用される第２の通信番号を取得する必要がない。このようにして、第２の通信番号を使用するユーザの番号のプライバシがより良好に保護され、すなわち、第２の通信番号が情報コードによって表され、それは、第２の通信番号の開示を回避する。さらに、そのような通信確立方法は、第２の通信番号をダイヤルすることなく、第２の通信番号を使用する通信端末への発呼を開始し、それは、発呼の開始を促進する。
【００３５】
例示的な適用シナリオでは、配達人は、カメラデバイスで構成されたモバイルスマートフォンを使用することによって、ｅｘｐｒｅｓｓ  ｗａｙｂｉｌｌ上のバーコード画像を捕捉することによって受取人への発呼を開始しても良い。モバイルスマートフォンは、配達人の通信番号、すなわち、第１の通信番号を有する。エクスプレスアイテムのｅｘｐｒｅｓｓ  ｗａｙｂｉｌｌ番号、すなわち、情報コードを取得するために捕捉されたバーコード画像を構文解析した後、モバイルスマートフォンは、呼情報をサービスサーバに送信しても良い。呼情報は、配達人の第１の通信番号及びｅｘｐｒｅｓｓ  ｗａｙｂｉｌｌ番号が付属される。サービスは、受取人の通信番号、すなわち、第２の通信番号を取得するために、ｅｘｐｒｅｓｓ  ｗａｙｂｉｌｌ番号に従って記憶されたデータを検索する。さらに、サービスサーバは、配達人のモバイルスマートフォンと受取人の電話との間で通信を確立するために第１の通信番号及び第２の通信番号を基本通信サーバに提供しても良い。上記から示されたように、受取人との通信を確立する処理では、配達人は、受取人の電話番号を知ることなく通信を確立し、それは、受取人の番号のプライバシを効果的に保護する。さらに、そのような通信確立方法では、配達人は番号をダイヤルする必要がなく、それは、受取人との通信を確立する迅速かつ正確なモードを配達人に提供し、よって、配達人のための時間を節約し、かつ配達人の配送効率を改善する。
【００３６】
別の例示的な適用シナリオでは、消費者は、カメラデバイスで構成されたモバイルスマートフォンを使用することによって、商品の包装バッグ上のバーコード画像を捕捉することによって商品の製造者の販売後サービス員と連絡を取ることができる。モバイルスマートフォンは、消費者の通信番号、すなわち、第１の通信番号を有する。商品のＥＡＮコード、すなわち、情報コードを取得するために捕捉されたバーコード画像を構文解析した後、モバイルスマートフォンは、呼情報をサービスサーバに送信しても良い。呼情報は、消費者の第１の通信番号及びＥＡＮコードが付属される。サービスサーバは、商品の製造者の販売後サービス番号、すなわち、第２の通信番号を取得するために、ＥＡＮコードに従って記憶されたデータを検索する。さらに、サービスサーバは、消費者のモバイルスマートフォンと販売後サービス員の電話との間で通信を確立するために第１の通信番号及び第２の通信番号を基本通信サーバに提供しても良い。上記から示されたように、販売後サービス員との通信を確立する処理では、消費者は、販売後サービス員の電話番号を知ることなく通信を確立し、それは、販売後サービス員の番号のプライバシを効果的に保護する。さらに、そのような通信確立方法では、消費者は番号をダイヤルする必要がなく、それは、販売後サービス員との通信を確立する迅速かつ正確なモードを消費者に提供し、よって、消費者のための時間を節約し、かつ発呼の効率を改善する。
【００３７】
実施態様では、入力画像を受信するステップでは、画像はカメラデバイスによって捕捉されても良い。例えば、画像は、モバイルスマートフォン上で構成されたカメラデバイスによって捕捉されても良い。さらなる特定の実施態様では、配達人は、カメラデバイスで構成されたモバイルスマートフォンを使用することによって、ｅｘｐｒｅｓｓ  ｗａｙｂｉｌｌ上のバーコード画像を捕捉することによって画像を受け付けても良く、消費者は、カメラデバイスで構成されたモバイルスマートフォンを使用することによって、商品包装バッグ上のバーコード画像を捕捉することによって画像を受け付けても良い。
【００３８】
図２を参照されたい。本開示の実施態様はさらに、１つまたは複数のプロセッサ（複数可）２０２またはデータプロセシングユニット（複数可）及びメモリ２０４を含む、クライアント端末２００を提供する。クライアント端末２００はさらに、１つまたは複数の入力／出力インタフェース（複数可）２０６及びネットワークインタフェース（複数可）２０８を含んでも良い。メモリ２０４は、コンピュータ可読媒体の例である。
【００３９】
コンピュータ可読媒体は、揮発性及び不揮発性、着脱可能及び着脱不能媒体を含んでも良く、ならびに情報を記憶するいずれかの方法または技術を使用することができる。情報は、コンピュータ可読命令、データ構造、及びプログラムのモジュールまたは他のデータであっても良い。コンピュータの記憶媒体の例は、相変化メモリ（ＰＲＡＭ）、スタティックランダムアクセスメモリ（ＳＲＡＭ）、ダイナミックランダムアクセスメモリ（ＤＲＡＭ）、他のタイプのＲＡＭ、ＲＯＭ、電気的消去可能リードオンリメモリ（ＥＥＰＲＯＭ）、フラッシュメモリもしくは他のメモリ技術、コンパクトディスクリードオンリメモリ（ＣＤ−ＲＯＭ）、デジタル多用途ディスク（ＤＶＤ）もしくは他の光学式記憶装置、カセットテープ、テープディスク記憶装置もしくは他の磁気記憶デバイス、または計算デバイスにとってアクセス可能な情報を記憶することができるいずれかの他の非伝送媒体を含むが、それらに限定されない。本明細書における定義に従って、コンピュータ可読媒体は、一時的コンピュータ可読媒体（一時的媒体）、例えば、変調データ信号及び搬送波を含まない。
【００４０】
メモリ２０４は、第１の獲得モジュール２１０、第１の受信モジュール２１２、及び第１の送信モジュール２１４を含む複数のモジュールまたはユニットをそこに記憶しても良い。
【００４１】
第１の獲得モジュール２１０は、現在の通信端末の第１の通信番号を獲得しても良い。
【００４２】
実施態様では、現在の通信端末は、ユーザに対するユーザ操作インタフェースを提供すること及び通信ネットワークにアクセスすることが可能ないずれかの端末デバイスであっても良い。例えば、現在の通信端末は、モバイルスマートフォン、ポータブルコンピュータ（ノートブックコンピュータなど）、タブレット電子デバイス、携帯情報端末（ＰＤＡ）、またはスマートウェアラブルデバイスなどの、モバイル通信を実装することが可能な電子デバイスであっても良い。
【００４３】
実施態様では、現在の通信端末は、第１の通信番号が付属（ａｔｔａｃｈｅｄ  ｗｉｔｈ）しても良い。第１の通信番号は、現在の通信端末を一意に識別することができ、現在の通信端末との通信は、第１の通信番号に発呼することによって確立されても良い。例えば、現在の通信端末は、通信番号を有することができる、加入者識別モジュール（ＳＩＭ）を含むモバイルスマートフォンであっても良い。現在の通信端末が第１の通信番号を有する加入者識別モジュールを使用する限り、第１の通信番号は、現在の通信端末に対応する。第１の通信番号は、携帯電話番号であっても良く、及びいずれの番号区分にも限定されない。
【００４４】
実施態様では、第１の通信番号は、第１の通信番号を現在の通信端末の記憶モジュールに記憶すること、第１の通信番号を記憶モジュールから読み出すこと、第１の通信番号を加入者識別モジュールに記録すること、及び第１の通信番号を加入者識別モジュールから読み出すことによって獲得されても良い。
【００４５】
第１の受信モジュール２１２は、入力画像を受信しても良く、及び画像に従って情報コードを取得しても良い。情報コードは、第２の通信番号に対応する。
【００４６】
実施態様では、画像は、対応して情報を記憶し、及び情報を表現するために使用されるグラフィック識別子であっても良い。例えば、画像は、バーコード画像、二次元コード画像、及び三次元コード画像を含んでも良い。画像を予め定められた構文解析ルールで構文解析することによって、画像に対応する記憶された識別情報を獲得することができる。
【００４７】
実施態様では、情報コードは、情報を一意に識別するために使用される定義コードであっても良い。例えば、情報コードは、ｅｘｐｒｅｓｓ  ｗａｙｂｉｌｌに印字され、及びエクスプレスアイテムの詳細情報を含むｅｘｐｒｅｓｓ  ｗａｙｂｉｌｌ番号であっても良く、商品包装バッグに印字され、及び商品番号を識別するために使用されるＥＡＮコードであっても良く、または紙媒体もしくは電子表示媒体上で提示され、ならびにオンラインディスカウント情報、ロッタリ情報、サービスブッキング及び同様のものなどの商人の商品情報に消費者をリンクするために使用されるウェブサイトであっても良い。いくつかの例示的な実施形態では、情報コードは、ビジネスマンの個人ビジネスカード上の独自の署名もしくはカスタマイズされたユーザ名、または企業の冊子における企業の名前、アドレスもしくはウェブサイトなどの、他の形式にあっても良く、本開示の例示的な実施形態は、それらに対しいずれの制限も課さない。
【００４８】
実施態様では、入力画像は、画像を入力するためにカメラデバイスによって画像をスキャン及び捕捉すること、または他の通信デバイスによって送信された画像を受信すること、または画像を予め定められたウェブサイトアドレスからダウンロードすることによって受信されても良い。特定の実施態様では、カメラデバイスで構成されたモバイル端末は、ｅｘｐｒｅｓｓ  ｗａｙｂｉｌｌ上のバーコード画像を捕捉してエクスプレスアイテムのｅｘｐｒｅｓｓ  ｗａｙｂｉｌｌ番号を獲得するために使用されても良く、カメラデバイスで構成されたモバイル端末は、商品の包装バッグ上のバーコード画像を捕捉して商品のＥＡＮコードを獲得するために使用されても良い。
【００４９】
実施態様では、受信された画像は、情報コードを構文解析するために分析及び識別されても良い。例えば、画像は、バーコード画像、二次元コード画像、及び三次元コード画像のうちのいずれか１つであっても良い。情報を識別するために使用される画像と情報コードとの間で一意な対応関係があり、画像を受け付けること及びそれを予め定められた構文解析ルールで構文解析することによって、対応する情報コードが獲得されても良い。
【００５０】
実施態様では、情報コードは第２の通信番号に対応し、それは、情報コードと第２の通信番号との間で対応関係があることを示し、そのような対応関係は、第１の通信番号を使用する現在の通信端末と第２の通信番号を使用する通信端末との間で通信を確立するために使用されても良い。例えば、情報コードは、ｅｘｐｒｅｓｓ  ｗａｙｂｉｌｌ番号、ＥＡＮコード、ウェブサイト、または二次元コードを含んでも良い。さらなる特定の実施態様では、ｅｘｐｒｅｓｓ  ｗａｙｂｉｌｌ番号は、エクスプレス受取人の連絡先番号に対応しても良く、商品のＥＡＮコードは、商品の製造者の販売後サービス番号に対応しても良く、商人のウェブサイトは、商人の顧客サービスホットライン番号に対応しても良く、二次元コードは、ビジネスグループを識別することができ、及びビジネスグループの連絡先番号に対応する。特定のビジネスグループは、政府、組織、企業、または個人などであっても良い。いくつかの実施形態では、情報コードはさらに、実際の状況に従った他の形式にあっても良く、例えば、ビジネスマンの個人ビジネスカード上の独自の署名もしくはカスタマイズされたユーザ名は、ビジネスマンの連絡先番号に対応しても良く、または企業の冊子における企業の名前、アドレスもしくはウェブサイトなどは、企業のコンサルティング番号に対応しても良く、本開示の例示的な実施形態は、それらに対しいずれの制限も課さない。
【００５１】
実施態様では、第２の通信番号は、通信端末を一意に識別することができ、通信端末との通信は、第２の通信番号に発呼することによって確立されても良い。例えば、第２の通信番号を使用した通信端末は、通信番号を有する、加入者識別モジュール（ＳＩＭ）を含むモバイルスマートフォンであっても良い。第２の通信番号は、陸線電話番号または携帯電話番号とすることができる、ユーザの電話番号であっても良く、及びいずれの番号区分に限定されない。
【００５２】
実施態様では、情報コードは、事前設定された文字列であっても良く、情報コードと第２の通信番号との間の対応付けは、情報コード及び第２の通信番号を対応してサーバに記録することによって実装されても良い。例えば、データテーブルは、サーバにおいて設定され、情報コード及び第２の通信番号は、対応してデータテーブルに記録される。このようにして、それらの両方の間の対応付けを実装することができる。さらに、データを検索及び取り出すことも容易である。
【００５３】
第１の送信モジュール２１４は、呼情報を予め定められたサーバに送信しても良く、呼情報は、第１の通信番号及び情報コードが付属される。
【００５４】
実施態様では、予め定められたサーバは、情報コードに従って第２の通信番号を獲得しても良く、それによって、第１の通信番号と第２の通信番号との間で通信が確立されても良い。予め定められたサーバは、情報コードを取得した後に、記憶されたデータから情報コードに対応する第２の通信番号を読み出すことができ、第１の通信番号及び第２の通信番号を基本通信サーバに提供することができ、それによって、基本通信サーバが第１の通信番号を使用する現在の通信端末と第２の通信番号を使用する通信端末との間で通信を確立する、サービスサーバであっても良い。予め定められたサーバはまた、呼情報に付属された情報コードに従って、記憶されたデータから情報コードに対応する第２の通信番号を獲得することができ、ならびに呼情報に付属された第１の通信番号及び獲得された第２の通信番号に従って、第１の通信番号を使用する現在の通信端末と第２の通信番号を使用する通信端末との間で通信を確立することができる、基本通信サーバであっても良い。
【００５５】
実施態様では、呼情報は、予め定められたフォーマット有することができる、予め定められた内容を有する文字列であっても良い。呼情報は、第１の通信番号を使用する現在の通信端末と第２の通信番号を使用する通信端末との間で通信が確立される必要があることを示すために使用されても良い。呼情報は、第１の通信番号及び情報コードが付属され、第１の通信番号及び情報コードの両方は、呼情報の内容の一部であり、及び予め定められたセパレータを使用することによって、または予め定められたバイト長を指定することによって区別されても良く、第１の通信番号及び情報コードのうちの１つが呼情報の内容の一部として使用され、及びもう一方が呼情報の付属として使用され、または第１の通信番号及び情報コードの両方が呼情報の付属として使用される。
【００５６】
実施態様では、呼情報は、２Ｇ／３Ｇ／４Ｇ、Ｗｉ−Ｆｉ、またはＢｌｕｅｔｏｏｔｈ技術などの無線通信を通じて予め定められたサーバに送信されても良い。
【００５７】
本開示の実施形態では、現在の通信端末は、受信された入力画像に従って情報コードを取得し、情報コード及び現在の通信端末の第１の通信番号を予め定められたサーバに提供する。予め定められたサーバは、第１の通信番号を使用する現在の通信端末と第２の通信番号を使用する通信端末との間で通信を確立するよう処理し、それによって、通信確立処理全体で、現在の通信端末のユーザが他のユーザによって使用される第２の通信番号を取得する必要がない。このようにして、第２の通信番号を使用するユーザの番号のプライバシがより良好に保護され、すなわち、第２の通信番号が情報コードによって表され、それは、第２の通信番号の開示を回避する。さらに、そのような通信確立方法では、第２の通信番号をダイヤルすることなく、第２の通信番号を使用する通信端末への発呼が開始されても良く、それは、通信の開始を促進する。
【００５８】
図３を参照されたい。本開示の実施態様はさらに、以下のステップを含む通信確立方法を提供する。
【００５９】
ステップＳ３０２：呼情報が受信される。呼情報は、第１の通信番号及び情報コードが付属される。例えば、情報コードは、ｅｘｐｒｅｓｓ  ｗａｙｂｉｌｌ番号である。
【００６０】
実施態様では、サーバは、発呼通信端末によって送信された呼情報を受信しても良い。呼情報は、発呼通信端末と着呼通信端末との間で通信が確立される必要があることを示す。
【００６１】
実施態様では、情報コードは、情報を一意に識別するために使用される定義コードであっても良い。例えば、情報コードは、ｅｘｐｒｅｓｓ  ｗａｙｂｉｌｌに印字され、及びエクスプレスアイテムの詳細情報を含むｅｘｐｒｅｓｓ  ｗａｙｂｉｌｌ番号であっても良く、商品包装バッグに印字され、及び商品番号を識別するために使用されるＥＡＮコードであっても良く、または紙媒体もしくは電子表示媒体上で提示され、ならびにオンラインディスカウント情報、ロッタリ情報、サービスブッキング及び同様のものなどの商人の商品情報に消費者をリンクするために使用されるウェブサイトであっても良い。いくつかの実施形態では、情報コードは、例えば、ビジネスマンの個人ビジネスカード上の独自の署名もしくはカスタマイズされたユーザ名、または企業の冊子における企業の名前、アドレスもしくはウェブサイトなどの、他の形式にあっても良く、本開示の例示的な実施形態は、それらに対しいずれの制限も課さない。さらなる特定の実施形態では、情報コードは、ｅｘｐｒｅｓｓ  ｗａｙｂｉｌｌ番号である。
【００６２】
実施態様では、第１の通信番号は、通信端末を一意に識別することができ、通信端末との通信は、第１の通信番号に発呼することによって確立されても良い。例えば、通信端末は、通信番号を有することができる、加入者識別モジュール（ＳＩＭ）を含むモバイルスマートフォンであっても良い。通信端末が第１の通信番号を有する加入者識別モジュールを使用する限り、第１の通信番号は、通信端末に対応することができる。第１の通信番号は、携帯電話番号であっても良く、及びいずれの番号区分にも限定されない。
【００６３】
実施態様では、呼情報は、予め定められたフォーマット有することができる、予め定められた内容を有する文字列であっても良い。呼情報は、第１の通信番号を使用する通信端末と第２の通信番号を使用する通信端末との間で通信が確立される必要があることを示すために使用されても良い。呼情報は、第１の通信番号及び情報コードが付属され、第１の通信番号及び情報コードの両方は、呼情報の内容の一部であり、及び予め定められたセパレータを使用することによって、または予め定められたバイト長を指定することによって区別されても良く、第１の通信番号及び情報コードのうちの１つが呼情報の内容の一部として使用され、及びもう一方が呼情報の付属として使用され、または第１の通信番号及び情報コードの両方が呼情報の付属として使用される。
【００６４】
実施態様では、呼情報は、２Ｇ／３Ｇ／４Ｇ、Ｗｉ−Ｆｉ、またはＢｌｕｅｔｏｏｔｈ技術などの無線通信を通じて受信されても良い。
【００６５】
ステップＳ３０４：情報コードに従って対応する第２の通信番号が獲得される。
【００６６】
実施態様では、情報コードは第２の通信番号に対応し、それは、情報コードと第２の通信番号との間で対応関係があることを示し、そのような対応関係を使用することによって、第１の通信番号を使用する通信端末と第２の通信番号を使用する通信端末との間で通信が確立されても良い。例えば、第２の通信番号及び情報コードは、対応してデータテーブルに記憶されても良い。データテーブルにおける１つの列は、第２の通信番号を記憶するために使用され、もう一つの列は、情報コードを記憶するために使用される。対応する情報コード及び第２の通信番号は、同一の行に位置する。代わりに、情報コード及び第２の通信番号のインデックスは、対応して記憶されても良い。例えば、通信番号の組がローカルデータベースにおいて設定される。シリアル番号が通信番号の組に対して系統立てられる。シリアル番号は、対応する第２の通信番号のインデックスである。対応する第２の通信番号は、インデックスによって一意に決定される。第２の通信番号のインデックス及び情報コードを対応して記憶することによって、情報コードに対応する第２の通信番号を一意に決定することができる。
【００６７】
実施態様では、第２の通信番号は、通信端末を一意に識別することができ、通信端末との通信は、第２の通信番号に発呼することによって確立される。例えば、第２の通信番号を使用した通信端末は、通信番号を有する、加入者識別モジュール（ＳＩＭ）を含む携帯電話であっても良い。第２の通信番号は、陸線電話番号または携帯電話番号とすることができる、ユーザの電話番号であっても良く、及びいずれの番号区分に限定されない。
【００６８】
ステップＳ３０６：呼セットアップ要求が基本通信サーバに送信され、呼セットアップ要求は、第１の通信番号及び第２の通信番号が付属され、呼セットアップ要求は、第１の通信番号を使用する第１の通信端末と第２の通信番号を使用する第２の通信端末との間で通信を確立することを基本通信サーバに要求するために使用される。
【００６９】
実施態様では、基本通信サーバは、通信番号を有する通信端末の間で通信を確立する、電気通信オペレータのサーバであっても良い。
【００７０】
実施態様では、呼セットアップ要求は、予め定められたフォーマット有することができる、予め定められた内容を有する文字列であっても良い。呼セットアップ要求は、第１の通信番号を使用する第１の通信端末と第２の通信番号を使用する第２の通信端末との間で通信が確立される必要があることを示すために使用されても良い。呼セットアップ要求は、第１の通信番号及び第２の通信番号が付属され、第１の通信番号及び情報コードの両方は、呼情報の内容の一部であっても良く、及び予め定められたセパレータを使用することによって、または予め定められたバイト長を指定することによって区別されても良く、第１の通信番号及び第２の通信番号のうちの１つが呼セットアップ要求の内容の一部として使用され、及びもう一方が呼セットアップ要求の付属として使用され、または第１の通信番号及び第２の通信番号の両方が呼セットアップ要求の付属として使用される。
【００７１】
実施態様では、呼セットアップ要求は、２Ｇ／３Ｇ／４Ｇ、Ｗｉ−Ｆｉ、またはＢｌｕｅｔｏｏｔｈ技術などの無線通信を通じて送信されても良い。
【００７２】
本開示の実施態様では、基本通信サーバは、第１の通信番号を使用する通信端末と第２の通信番号を使用する通信端末との間で通信を確立するよう処理しても良く、それによって、通信確立処理全体で、第１の通信番号を使用する通信端末のユーザが他のユーザによって使用される第２の通信番号を取得する必要がない。このようにして、第２の通信番号を使用するユーザの番号のプライバシがより良好に保護され、すなわち、第２の通信番号が情報コードによって表され、それは、第２の通信番号の開示を回避する。
【００７３】
特定の適用シナリオでは、配達人は、カメラデバイスで構成されたモバイルスマートフォンを使用することによって、ｅｘｐｒｅｓｓ  ｗａｙｂｉｌｌ上のバーコード画像を捕捉することによって受取人への発呼を開始しても良い。モバイルスマートフォンは、配達人の通信番号、すなわち、第１の通信番号を有する。エクスプレスアイテムのｅｘｐｒｅｓｓ  ｗａｙｂｉｌｌ番号、すなわち、情報コードを取得するために捕捉されたバーコード画像を構文解析した後、モバイルスマートフォンは、呼情報をサービスサーバに送信しても良い。呼情報は、配達人の第１の通信番号及びｅｘｐｒｅｓｓ  ｗａｙｂｉｌｌ番号が付属される。サービスサーバは、受取人の通信番号、すなわち、第２の通信番号を取得するためにｅｘｐｒｅｓｓ  ｗａｙｂｉｌｌ番号に従って記憶されたデータをクエリする。さらに、サービスサーバは、配達人のモバイルスマートフォンと受取人の電話との間で通信を確立するために第１の通信番号及び第２の通信番号を基本通信サーバに提供しても良い。上記から示されたように、受取人との通信を確立する処理では、配達人は、受取人の電話番号を知ることなく通信を確立しても良く、それは、受取人の番号のプライバシを効果的に保護する。
【００７４】
図４を参照されたい。実施態様では、受取人の第２の通信番号は、以下の方法でｅｘｐｒｅｓｓ  ｗａｙｂｉｌｌ番号に従って獲得される。
【００７５】
ステップＳ４０２：ｅｘｐｒｅｓｓ  ｗａｙｂｉｌｌ番号に従って対応する注文データが取得される。
【００７６】
ステップＳ４０４：第２の通信番号が注文データから獲得される。
【００７７】
実施態様では、注文データは、貿易取引における注文認証情報を含んでも良く、特定の内容は、ユーザによって注文された商品及び／またはサービスを含んでも良い。
【００７８】
実施態様では、ユーザは、オンラインショッピングによって注文要求をサービスサーバに送信しても良い。注文要求は、商品及び／またはサービスの予約情報ならびにユーザの関連情報を含んでも良く、ユーザの関連情報は、ユーザの名前及びアドレス、ならびにユーザの通信番号を含んでも良い。注文要求を受信した後、サービスサーバは、対応する注文データを生成しても良い。ユーザによって注文された商品及び／またはサービスが、例えば、物流会社などとすることができる仲介者に配送されるとき、物流会社は一般的に、商品及び／またはサービスに対するｅｘｐｒｅｓｓ  ｗａｙｂｉｌｌ番号を系統立てる。ｅｘｐｒｅｓｓ  ｗａｙｂｉｌｌ番号は、注文データに一意に対応することができる。サービスサーバは、ローカルデータベースなどのデータベースに、注文データに一意に対応するｅｘｐｒｅｓｓ  ｗａｙｂｉｌｌ番号を記憶しても良く、それによって、ユーザ、すなわち、受取人は、ｅｘｐｒｅｓｓ  ｗａｙｂｉｌｌ番号に従って、商品及び／またはサービスの流通情報及び輸送状態をリアルタイムで便利に得ることができる。ユーザの関連情報に含まれるユーザの名前及びアドレス、ならびにユーザ通信番号は、商品及び／またはサービスがユーザの位置に到着した後、配送処理における正確な方向の促進及び便利な連絡先情報を配達人などの関連する人員に提供する。したがって、商品及び／またはサービスのｅｘｐｒｅｓｓ  ｗａｙｂｉｌｌ番号を獲得することによって、それに対応する注文データがデータベースにおいて取得され、取得された注文データに従って、それに含まれるユーザの通信番号、すなわち、受取人の第２の通信番号がさらに獲得される。
【００７９】
図５を参照すると、実施態様では、受取人の第２の通信番号は、以下の別の方法でｅｘｐｒｅｓｓ  ｗａｙｂｉｌｌ番号に従って獲得される。
【００８０】
ステップＳ５０２：ｅｘｐｒｅｓｓ  ｗａｙｂｉｌｌ番号に従って対応する顧客識別情報が獲得される。
【００８１】
ステップＳ５０４：顧客識別情報に従って第２の通信番号が獲得される。
【００８２】
実施態様では、顧客識別情報は、ユーザの識別を一意に識別するために使用されても良く、特定の内容は、ユーザの識別（ＩＤ）を含んでも良い。
【００８３】
実施態様では、ユーザは、オンラインショッピングによって注文要求をサービスサーバに送信しても良い。注文要求は、商品及び／またはサービスの予約情報ならびにユーザの識別情報を含んでも良い。サービスサーバは、注文要求を受信しても良く、及び対応する注文データを生成しても良い。ユーザによって注文された商品及び／またはサービスが、例えば、物流会社などとすることができる仲介者に配送されるとき、物流会社は一般的に、商品及び／またはサービスに対するｅｘｐｒｅｓｓ  ｗａｙｂｉｌｌ番号を系統立てる。ｅｘｐｒｅｓｓ  ｗａｙｂｉｌｌ番号は、注文データに一意に対応することができる。ユーザの通信番号は、サービスサーバまたは基本通信サーバのデータベースに事前に記憶されても良く、通信番号は、ユーザの識別情報に一意に対応する。このようにして、ｅｘｐｒｅｓｓ  ｗａｙｂｉｌｌ番号は、注文データを通じてユーザの識別情報との対応関係を確立し、よって、ユーザの通信番号に対応する。したがって、ｅｘｐｒｅｓｓ  ｗａｙｂｉｌｌ番号を獲得することによって、それに対応する顧客識別情報が取得され、それに一意に対応する通信番号、すなわち、受取人の第２の通信番号が、取得された顧客識別情報に従って、サービスサーバまたは基本通信サーバのデータベースにおいて取得される。
【００８４】
実施態様では、受取人の第２の通信番号は、別の方法、すなわち情報コードに従って、対応して記憶された第２の通信番号を獲得すること、において、ｅｘｐｒｅｓｓ  ｗａｙｂｉｌｌ番号に従って獲得される。
【００８５】
実施態様では、対応する関連付けは、第２の通信番号及び情報コードに対して確立されても良く、関連付けられた第２の通信番号及び情報コードが対応して記憶される。例えば、第２の通信番号及び情報コードは、対応してデータテーブルによって記憶されても良い。データテーブルの１つの列は、第２の通信番号を記憶するために使用され、もう一つの列は、情報コードを記憶するために使用される。対応する情報コード及び第２の通信番号は、同一の行に位置する。代わりに、情報コード及び第２の通信番号のインデックスは、対応して記憶されても良い。例えば、通信番号の組がローカルデータベースにおいて設定される。シリアル番号が通信番号の組に対して系統立てられる。シリアル番号は、対応する第２の通信番号のインデックスである。対応する第２の通信番号をインデックスによって一意に決定することができる。第２の通信番号のインデックス及び情報コードを対応して記憶することによって、情報コードに対応する第２の通信番号を一意に決定することができる。
【００８６】
図６を参照されたい。実施態様では、方法は、以下のステップを含む。
【００８７】
ステップＳ６０２：終了イベントが情報コードと第２の通信番号との間の対応関係に対して設定される。
【００８８】
ステップＳ６０４：終了イベントが発生すると検出されるときに情報コードと第２の通信番号との間の対応関係が解消される。
【００８９】
実施態様では、情報コードと第２の通信番号との間の対応付けに対して終了イベントを設定することによって、終了イベントが発生するとき、情報コード、すなわち、ｅｘｐｒｅｓｓ  ｗａｙｂｉｌｌ番号と、第２の通信番号、すなわち、受取人の通信番号との間の対応付けが解消される。よって、呼が終了した後、呼の発呼者または第三者は、情報コードを再度使用することによって、第２の通信番号を使用する第２の通信端末と連絡を取ることができない。したがって、情報コードが開示される場合でさえ、第２の通信端末のユーザにとって何ら問題が起こらない。
【００９０】
特定の適用シナリオでは、配達人は、カメラデバイスで構成されたモバイルスマートフォンを使用することによって、ｅｘｐｒｅｓｓ  ｗａｙｂｉｌｌ上のバーコード画像を捕捉することによって受取人への発呼を開始しても良い。受取人がエクスプレス配送にサインした後、それは、取引が完了したことを示す。設定終了イベントが発生すると、ｅｘｐｒｅｓｓ  ｗａｙｂｉｌｌ番号と受取人の第２の通信番号との間の対応付けを解消することができる。このようにして、配達人または第三者は、ｅｘｐｒｅｓｓ  ｗａｙｂｉｌｌ番号を使用することによってもはや受取人と連絡を取ることができず、よって、潜在的な不正通話、広告及びスパムショートメッセージから受取人を保護する。
【００９１】
実施態様では、ｅｘｐｒｅｓｓ  ｗａｙｂｉｌｌ番号は、注文データに対応する。終了イベントは、注文データの状態に従って決定されても良く、終了イベントは、注文データの無効化を含む。
【００９２】
実施態様では、注文データは、貿易取引における注文認証情報を含んでも良く、特定の内容は、ユーザによって注文された商品及び／またはサービスを含んでも良い。注文データは、ライフサイクルの異なる段階における異なる状態を有しても良い。終了イベントは、注文データが無効化状態にあることを示す、注文無効化を含む。特定の実施態様では、オンラインショッピングのケースでは、注文データは、ユーザが注文要求を提出してから、保管処理及び仲介者としての物流配送のために生成されても良い。注文データは、発注、売主確認、買主支払い、売主発送、及び取引取消／取引完了などの状態を含んでも良い。注文データの状態が取引取消または取引完了であるとき、それは、注文データが無効化されたことを示しても良い。例えば、注文がなされた後、かつ売主が商品を発送する前に買主が注文を取り消すことを特に含むことができる、注文データの状態が取引取消または取引完了になると、必要な商品及び／またはサービスが売主の店舗で一時的に利用可能でなくなり、または不足状態になり、したがって、買主は注文を取り消し、または売主は注文を確認せず、商品及び／またはサービスが受取人に配送され、ならびに受取人によって確認及びサインされ、取引が完了する。次いで、情報コード、すなわち、ｅｘｐｒｅｓｓ  ｗａｙｂｉｌｌ番号と、第２の通信番号、すなわち、受取人の通信番号との間の対応付けが解消され、ｅｘｐｒｅｓｓ  ｗａｙｂｉｌｌ番号と受取人の通信番号との間の対応関係が存在しなくなる。配達人または第三者は、ｅｘｐｒｅｓｓ  ｗａｙｂｉｌｌ番号を使用することによってもはや受取人と連絡を取ることができず、よって、潜在的な不正通話、広告及びスパムショートメッセージから受取人を保護する。
【００９３】
特定の適用シナリオでは、ユーザは、オンラインショッピングによって注文データを売主に発行しても良い。売主が商品を発送する前は、エクスプレス配送注文とユーザの通信番号との間で対応関係が既に存在する。このケースでは、ユーザは注文を取り消し、取引が完了し、注文データが無効化される。設定終了イベントが発生する。ｅｘｐｒｅｓｓ  ｗａｙｂｉｌｌ番号とユーザの第２の通信番号との間の対応付けが解消される。このようにして、売主または第三者は、ｅｘｐｒｅｓｓ  ｗａｙｂｉｌｌ番号を使用することによって、受取人と連絡を取ることができず、よって、潜在的な不正通話、広告及びスパムショートメッセージから受取人を保護する。
【００９４】
図７を参照されたい。本開示の実施態様はさらに、１つまたは複数のプロセッサ（複数可）７０２またはデータプロセシングユニット（複数可）及びメモリ７０４を含む、サーバ７００を提供する。サーバ７００はさらに、１つまたは複数の入力／出力インタフェース（複数可）７０６及びネットワークインタフェース（複数可）７０８を含んでも良い。メモリ７０４は、コンピュータ可読媒体の例である。
【００９５】
メモリ７０４は、第２の受信モジュール７１０、第２の獲得モジュール７１２、及び第２の送信モジュール７１４を含む複数のモジュールまたはユニットをそこに記憶しても良い。
【００９６】
第２の受信モジュール７１０は、呼情報を受信しても良く、呼情報は、第１の通信番号及び情報コードが付属され、情報コードは、ｅｘｐｒｅｓｓ  ｗａｙｂｉｌｌ番号である。
【００９７】
実施態様では、サーバ７００は、発呼通信端末によって送信された呼情報を受信しても良く、呼情報は、発呼通信端末と着呼通信端末との間で通信が確立される必要があることを示す。
【００９８】
実施態様では、情報コードは、情報を一意に識別するために使用される定義コードであっても良い。例えば、情報コードは、ｅｘｐｒｅｓｓ  ｗａｙｂｉｌｌに印字され、及びエクスプレスアイテムの詳細情報を含むｅｘｐｒｅｓｓ  ｗａｙｂｉｌｌ番号であっても良く、商品包装バッグに印字され、及び商品番号を識別するために使用されるＥＡＮコードであっても良く、または紙媒体もしくは電子表示媒体上で提示され、ならびにオンラインディスカウント情報、ロッタリ情報、サービスブッキング及び同様のものなどの商人の商品情報に消費者をリンクするために使用されるウェブサイトであっても良い。いくつかの実施形態では、情報コードは、例えば、ビジネスマンの個人ビジネスカード上の独自の署名もしくはカスタマイズされたユーザ名、または企業の冊子における企業の名前、アドレスもしくはウェブサイトなどの、他の形式にあっても良く、本開示の例示的な実施形態は、それらに対しいずれの制限も課さない。さらなる特定の実施形態では、情報コードは、ｅｘｐｒｅｓｓ  ｗａｙｂｉｌｌ番号である。
【００９９】
実施態様では、第１の通信番号は、通信端末を一意に識別することができ、通信端末との通信は、第１の通信番号に発呼することによって確立される。例えば、通信端末は、通信番号を有することができる、加入者識別モジュール（ＳＩＭ）を含むモバイルスマートフォンであっても良い。通信端末が第１の通信番号を有する加入者識別モジュールを使用する限り、第１の通信番号は、通信端末に対応する。第１の通信番号は、携帯電話番号であっても良く、及びいずれの番号区分にも限定されない。
【０１００】
実施態様では、呼情報は、予め定められたフォーマット有することができる、予め定められた内容を有する文字列であっても良い。呼情報は、第１の通信番号を使用する通信端末と第２の通信番号を使用する通信端末との間で通信が確立される必要があることを示すために使用されても良い。呼情報は、第１の通信番号及び情報コードが付属され、第１の通信番号及び情報コードの両方は、呼情報の内容の一部であり、及び予め定められたセパレータを使用することによって、または予め定められたバイト長を指定することによって区別されても良く、第１の通信番号及び情報コードのうちの１つが呼情報の内容の一部として使用され、及びもう一方が呼情報の付属として使用され、または第１の通信番号及び情報コードの両方が呼情報の付属として使用される。
【０１０１】
実施態様では、呼情報は、２Ｇ／３Ｇ／４Ｇ、Ｗｉ−Ｆｉ、またはＢｌｕｅｔｏｏｔｈ技術などの無線通信を通じて受信されても良い。
【０１０２】
第２の獲得モジュール７１２は、情報コードに従って対応する第２の通信番号を獲得しても良い。
【０１０３】
実施態様では、情報コードは第２の通信番号に対応し、それは、情報コードと第２の通信番号との間で対応関係があることを示し、そのような対応関係を使用することによって、第１の通信番号を使用する通信端末と第２の通信番号を使用する通信端末との間で通信が確立される。例えば、第２の通信番号及び情報コードは、対応してデータテーブルによって記憶される。データテーブルにおける１つの列は、第２の通信番号を記憶するために使用され、もう一つの列は、情報コードを記憶するために使用される。対応する情報コード及び第２の通信番号は、同一の行に位置する。代わりに、情報コード及び第２の通信番号のインデックスは、対応して記憶されても良い。例えば、通信番号の組がローカルデータベースにおいて設定される。シリアル番号が通信番号の組に対して系統立てられる。シリアル番号は、対応する第２の通信番号のインデックスである。対応する第２の通信番号は、インデックスによって一意に決定される。第２の通信番号のインデックス及び情報コードを対応して記憶することによって、情報コードに対応する第２の通信番号が一意に決定される。
【０１０４】
実施態様では、第２の通信番号は、通信端末を一意に識別することができ、通信端末との通信は、第２の通信番号に発呼することによって確立される。例えば、第２の通信番号を使用した通信端末は、通信番号を有する、加入者識別モジュール（ＳＩＭ）を含む携帯電話であっても良い。第２の通信番号は、陸線電話番号または携帯電話番号とすることができる、ユーザの電話番号であっても良く、及びいずれの番号区分に限定されない。
【０１０５】
第２の送信モジュール７１４は、呼セットアップ要求を基本通信サーバに送信しても良い。呼セットアップ要求は、第１の通信番号及び第２の通信番号が付属される。呼セットアップ要求は、第１の通信番号を使用する第１の通信端末と第２の通信番号を使用する第２の通信端末との間で通信を確立することを基本通信サーバに要求するために使用される。
【０１０６】
実施態様では、基本通信サーバは、第１の通信番号及び第２の通信番号が付属された通信要求に従って両当事者への発呼を開始することができる、基本通信オペレータのサーバであっても良い。
【０１０７】
実施態様では、呼セットアップ要求は、予め定められたフォーマット有することができる、予め定められた内容を有する文字列であっても良い。呼セットアップ要求は、第１の通信番号を使用する第１の通信端末と第２の通信番号を使用する第２の通信端末との間で呼が確立される必要があることを示すために使用されても良い。呼セットアップ要求は、第１の通信番号及び第２の通信番号が付属され、第１の通信番号及び第２の通信番号の両方は、呼セットアップ要求の内容の一部であっても良く、及び予め定められたセパレータを使用することによって、または予め定められたバイト長を指定することによって区別されても良く、第１の通信番号及び第２の通信番号のうちの１つが呼セットアップ要求の内容の一部として使用され、及びもう一方が呼セットアップ要求の付属として使用され、または第１の通信番号及び第２の通信番号の両方が呼セットアップ要求の付属として使用される。
【０１０８】
実施態様では、呼セットアップ要求は、２Ｇ／３Ｇ／４Ｇ、Ｗｉ−Ｆｉ、またはＢｌｕｅｔｏｏｔｈ技術などの無線通信を介して送信されても良い。
【０１０９】
本開示の実施態様では、基本通信サーバは、第１の通信番号を使用する通信端末と第２の通信番号を使用する通信端末との間で通信を確立するよう処理しても良く、それによって、通信確立処理全体で、第１の通信番号を使用する通信端末のユーザが他のユーザによって使用される第２の通信番号を取得する必要がない。このようにして、第２の通信番号を使用するユーザの番号のプライバシがより良好に保護され、すなわち、第２の通信番号を情報コードによって表すことができ、それは、第２の通信番号の開示を回避する。
【０１１０】
図８を参照されたい。本開示の実施態様はさらに、以下のステップを含む通信確立方法を提供する。
【０１１１】
ステップＳ８０２：呼情報が受信され、呼情報は、第１の通信番号及び情報コードが付属され、情報コードは、ｅｘｐｒｅｓｓ  ｗａｙｂｉｌｌ番号である。
【０１１２】
実施態様では、基本通信サーバは、発呼通信端末によって送信された呼情報を受信しても良い。呼情報は、発呼通信端末と着呼通信端末との間で通信が確立される必要があることを示し、基本通信サーバは、電気通信オペレータのサーバであっても良い。
【０１１３】
実施態様では、情報コードは、情報を一意に識別するために使用される定義コードであっても良い。例えば、情報コードは、ｅｘｐｒｅｓｓ  ｗａｙｂｉｌｌに印字され、及びエクスプレスアイテムの詳細情報を含むｅｘｐｒｅｓｓ  ｗａｙｂｉｌｌ番号であっても良く、商品包装バッグに印字され、及び商品番号を識別するために使用されるＥＡＮコードであっても良く、または紙媒体もしくは電子表示媒体上で提示され、ならびにオンラインディスカウント情報、ロッタリ情報、サービスブッキング及び同様のものなどの商人の商品情報に消費者をリンクするために使用されるウェブサイトであっても良い。いくつかの実施形態では、情報コードは、例えば、ビジネスマンの個人ビジネスカード上の独自の署名もしくはカスタマイズされたユーザ名、または企業の冊子における企業の名前、アドレスもしくはウェブサイトなどの、他の形式にあっても良く、本開示の例示的な実施形態は、それらに対しいずれの制限も課さない。さらなる特定の実施形態では、情報コードは、ｅｘｐｒｅｓｓ  ｗａｙｂｉｌｌ番号である。
【０１１４】
実施態様では、第１の通信番号は、第１の通信端末を一意に識別することができ、第１の通信端末との通信は、第１の通信番号に発呼することによって確立される。例えば、第１の通信端末は、通信番号を有することができる、加入者識別モジュール（ＳＩＭ）を含むモバイルスマートフォンであっても良い。第１の通信端末が第１の通信番号を有する加入者識別モジュールを使用する限り、第１の通信番号は、第１の通信端末に対応する。第１の通信番号は、携帯電話番号であっても良く、及びいずれの番号区分にも限定されない。
【０１１５】
実施態様では、呼情報は、予め定められたフォーマット有することができる、予め定められた内容を有する文字列であっても良い。呼情報は、第１の通信番号を使用する現在の通信端末と第２の通信番号を使用する通信端末との間で通信が確立される必要があることを示すために使用されても良い。呼情報は、第１の通信番号及び情報コードが付属され、第１の通信番号及び情報コードの両方は、呼情報の内容の一部であり、及び予め定められたセパレータを使用することによって、または予め定められたバイト長を指定することによって区別されても良く、第１の通信番号及び情報コードのうちの１つが呼情報の内容の一部として使用され、及びもう一方が呼情報の付属として使用され、または第１の通信番号及び情報コードの両方が呼情報の付属として使用される。
【０１１６】
この実施態様では、呼情報は、２Ｇ／３Ｇ／４Ｇ、Ｗｉ−Ｆｉ、またはＢｌｕｅｔｏｏｔｈ技術などの無線通信を通じて受信されても良い。
【０１１７】
ステップＳ８０４：情報コードに従って対応する第２の通信番号が獲得される。
【０１１８】
実施態様では、情報コードは第２の通信番号に対応し、それは、情報コードと第２の通信番号との間で対応関係があることを示し、そのような対応関係を使用することによって、第１の通信番号を使用する通信端末と第２の通信番号を使用する通信端末との間で通信が確立される。例えば、第２の通信番号及び情報コードは、対応してデータテーブルによって記憶される。データテーブルにおける１つの列は、第２の通信番号を記憶するために使用され、もう一つの列は、情報コードを記憶するために使用される。対応する情報コード及び第２の通信番号は、同一の行に位置する。代わりに、情報コード及び第２の通信番号のインデックスは、対応して記憶されても良い。例えば、通信番号の組がローカルデータベースにおいて設定される。シリアル番号が通信番号の組に対して系統立てられる。シリアル番号は、対応する第２の通信番号のインデックスである。対応する第２の通信番号をインデックスによって一意に決定することができる。第２の通信番号のインデックス及び情報コードを対応して記憶することによって、情報コードに対応する第２の通信番号が一意に決定される。
【０１１９】
実施態様では、第２の通信番号は、通信端末を一意に識別することができ、通信端末との通信は、第２の通信番号に発呼することによって確立される。例えば、第２の通信番号を使用した通信端末は、通信番号を有する、加入者識別モジュール（ＳＩＭ）を含む携帯電話であっても良い。第２の通信番号は、陸線電話番号または携帯電話番号とすることができる、ユーザの電話番号であっても良く、及びいずれの番号区分に限定されない。
【０１２０】
ステップＳ８０６：第１の通信番号を使用する第１の通信端末及び第２の通信番号を使用する第２の通信端末それぞれに呼要求が送信される。
【０１２１】
実施態様では、第１の通信番号及び第２の通信番号を獲得するケースでは、呼要求は、基本通信サーバによって、第１の通信番号を使用する第１の通信端末及び第２の通信番号を使用する第２の通信端末それぞれに送信されて、２つの通信端末の間で通信を確立しても良い。
【０１２２】
ステップＳ８０８：第１の通信端末及び第２の通信端末がそれぞれ呼要求を受け付けるときに第１の通信端末と第２の通信端末との間で通信が確立される。
【０１２３】
実施態様では、第１の通信端末及び第２の通信端末がそれぞれ呼要求を受け付ける限り、２つの通信端末の間の通信が確立される。
【０１２４】
本開示の実施態様では、基本通信サーバは、第１の通信番号を使用する通信端末と第２の通信番号を使用する通信端末との間で通信を確立するよう処理しても良く、それによって、通信確立処理全体で、第１の通信番号を使用する通信端末のユーザが他のユーザによって使用される第２の通信番号を取得する必要がない。このようにして、第２の通信番号を使用するユーザの番号のプライバシがより良好に保護され、すなわち、第２の通信番号を情報コードによって表すことができ、それは、第２の通信番号の開示を回避する。
【０１２５】
特定の適用シナリオでは、配達人は、カメラデバイスで構成されたモバイルスマートフォンを使用することによって、ｅｘｐｒｅｓｓ  ｗａｙｂｉｌｌ上のバーコード画像を捕捉することによって受取人への発呼を開始しても良い。モバイルスマートフォンは、配達人の通信番号、すなわち、第１の通信番号を有する。エクスプレスアイテムのｅｘｐｒｅｓｓ  ｗａｙｂｉｌｌ番号、すなわち、情報コードを取得するために、捕捉されたバーコード画像を構文解析した後、モバイルスマートフォンは、呼情報を基本通信サーバに送信しても良い。呼情報は、配達人の第１の通信番号及びｅｘｐｒｅｓｓ  ｗａｙｂｉｌｌ番号が付属される。基本通信サーバは、受取人の通信番号、すなわち、第２の通信番号を取得するためにｅｘｐｒｅｓｓ  ｗａｙｂｉｌｌ番号に従って記憶されたデータを検索し、それによって、配達人のモバイルスマートフォンと受取人の電話との間で通信を確立する。上記から示されたように、受取人との通信を確立する処理では、配達人は、受取人の電話番号を知ることなく通信を確立し、それは、受取人の番号のプライバシを効果的に保護する。
【０１２６】
図８の変形である図９を参照されたい。実施態様では、方法は、以下のステップを含んでも良い。
【０１２７】
ステップＳ８０２：呼情報が受信され、呼情報は、第１の通信番号及び情報コードが付属され、情報コードは、ｅｘｐｒｅｓｓ  ｗａｙｂｉｌｌ番号である。
【０１２８】
ステップＳ８０４：情報コードに従って対応する第２の通信番号が獲得される。
【０１２９】
ステップＳ９０２：一時通信番号が呼情報に割り当てられる。
【０１３０】
ステップＳ８０６はさらに、一時通信番号を、第１の通信番号を使用する第１の通信端末に返却することを含んでも良く、それは、図９においてＳ９０４と呼ばれても良い。ステップ９０４：第１の通信番号を使用する第１の通信端末及び第２の通信番号を使用する第２の通信端末それぞれに呼要求が送信され、第１の通信端末に一時通信番号が返却される。
【０１３１】
ステップＳ８０８：第１の通信端末及び第２の通信端末がそれぞれ呼要求を受け付けるときに第１の通信端末と第２の通信端末との間で通信が確立される。
【０１３２】
実施態様では、ステップＳ９０４において、基本通信サーバは、第１の通信端末及び第２の通信端末への発呼を開始する。このケースでは、基本通信サーバが発呼者であり、第１の通信端末及び第２の通信端末の両方が着呼者である。通信端末への呼要求を開始するとき、基本通信サーバは、現在の発呼番号を通信端末に返却しても良い。すなわち、番号が現在の発呼番号として第１の通信端末または第２の通信端末に返却されても良い。呼情報を送信する第１の通信端末に一時通信番号を返却することによって、他の当事者との通信の確立のための呼情報の開始から実施態様が実現される。第１の通信端末は、他の当事者の第２の通信番号へのアクセスを有さず、それは、第２の通信番号の開示を回避することができ、かつユーザのプライバシを効果的に保護することができる。
【０１３３】
実施態様では、呼情報に対して割り当てられた一時通信番号に関して、少なくとも１つの一時通信番号は、基本通信サーバに対して事前に記憶されても良く、１つの番号が、少なくとも１つの一時通信番号から選択され、及び呼情報に割り当てられ、または基本通信サーバが、呼情報を受信すると予め定められたルールに従って一時通信番号を生成し、次いで生成された一時通信番号を呼情報に割り当てる。
【０１３４】
特定の実施態様では、通信番号の組は、基本通信サーバにおいて設定されても良い。通信番号の組は、少なくとも１つの一時通信番号を含む。一時通信番号は、通信番号の組から選択され、及び呼情報に割り当てられる。この方式では、一時通信番号の値の範囲が効果的に制限され、一時通信番号の使用が管理される。例えば、既存の通信番号の中で、現在使用されることがほとんどない番号が一時通信番号として使用されても良く、またはある区分における番号が一時通信番号として使用されても良く、例えば、「９５０００００００００〜９５０１１１１１１１１」の間の番号が一時通信番号として使用される。
【０１３５】
実施態様では、通信が確立される都度、基本通信サーバは、異なる一時通信番号を呼情報に割り当てても良い。すなわち、異なる一時通信番号は、異なる通信処理において第１の通信端末に返却されても良い。このようにして、発呼者または第三者が一時通信番号を取得する場合でさえ、発呼者または第三者は、一時通信番号使用することによって他の当事者と連絡を取ることができず、よって、潜在的な不正通話、広告及びスパムショートメッセージから第２の通信端末のユーザを保護する。
【０１３６】
特定の適用シナリオでは、配達人は、カメラデバイスで構成されたモバイルスマートフォンを使用することによって、ｅｘｐｒｅｓｓ  ｗａｙｂｉｌｌ上のバーコード画像を捕捉することによって受取人への発呼を開始しても良い。モバイルスマートフォンは、配達人の通信番号、すなわち、第１の通信番号を搬送する。モバイルスマートフォンは、エクスプレスアイテムのｅｘｐｒｅｓｓ  ｗａｙｂｉｌｌ番号、すなわち、情報コードを取得するために、捕捉されたバーコード画像を構文解析し、及び呼情報を基本通信サーバに送信する。呼情報は、配達人の第１の通信番号及びｅｘｐｒｅｓｓ  ｗａｙｂｉｌｌ番号が付属される。呼情報を受信すると、基本通信サーバは、呼情報に割り当てるために、ローカルに構成された通信番号の組などの通信番号の組からの１つを一時通信番号として選択しても良く、または予め定められたルールに従って一時通信番号を生成しても良い。基本通信サーバは、受取人の通信番号、すなわち、第２の通信番号を取得するために、受信された呼情報に付属されたｅｘｐｒｅｓｓ  ｗａｙｂｉｌｌ番号に従って記憶されたデータを検索しても良い。次いで、基本通信サーバは、配達人のモバイルスマートフォン及び受取人の電話への呼要求を開始しても良く、第１の通信番号を使用する第１の通信端末、すなわち、配達人のモバイルスマートフォンに一時通信番号を返却しても良く、ならびに配達人のモバイルスマートフォン及び受取人の電話が呼要求を受け付けるときに配達人のモバイルスマートフォンと受取人の電話との間で通信を確立しても良い。受取人の本当の通信番号が配達人のモバイルスマートフォンに返却された一時通信番号と置き換わるので、配達人は、両当事者の間の通信処理全体を通じて受取人の本当の通信番号へのアクセスを有さず、それは、受取人の通信番号の開示を回避する。さらに、異なる一時通信番号は、異なる通信処理において配達人のモバイルスマートフォンに返却されても良く、すなわち、ある通信処理における配達人のモバイルスマートフォンに返却された一時通信番号は、そのような通信処理でのみ使用されても良い。配達人が受取人と再度連絡を取るとき、配達人のモバイルスマートフォンに返却された一時通信番号は、前の一時通信番号とは異なる。このようにして、配達人または第三者が一時通信番号を取得する場合でさえ、配達人または第三者は、一時通信番号使用することによって受取人と連絡を取ることができず、よって、潜在的な不正通話、広告、及びスパムショートメッセージから受取人を保護する。
【０１３７】
図８の変形である図１０を参照されたい。実施態様では、方法は、以下のステップを含んでも良い。
【０１３８】
ステップＳ８０２：呼情報が受信され、呼情報は、第１の通信番号及び情報コードが付属され、情報コードは、ｅｘｐｒｅｓｓ  ｗａｙｂｉｌｌ番号である。
【０１３９】
ステップＳ８０４：情報コードに従って対応する第２の通信番号が獲得される。
【０１４０】
ステップＳ１００２：一時通信番号が呼情報に割り当てられる。
【０１４１】
ステップＳ１００４：第１の通信番号を使用する第１の通信端末及び第２の通信番号を使用する第２の通信端末それぞれに呼要求が送信され、呼要求を送信するステップはさらに、第１の通信番号を使用する第１の通信端末及び第２の通信番号を使用する第２の通信端末に一時通信番号を返却することを含んでも良い。
【０１４２】
ステップＳ８０８：第１の通信端末及び第２の通信端末がそれぞれ呼要求を受け付けるときに第１の通信端末と第２の通信端末との間で通信が確立される。
【０１４３】
実施態様では、呼情報に対して割り当てられた一時通信番号に関して、少なくとも１つの一時通信番号は、基本通信サーバに対して事前に記憶されても良く、１つの番号が、少なくとも１つの一時通信番号から選択され、及び呼情報に割り当てられ、または基本通信サーバが、呼情報を受信すると予め定められたルールに従って一時通信番号を生成し、次いで生成された一時通信番号を呼情報に割り当てる。
【０１４４】
特定の実施態様では、通信番号の組は、基本通信サーバにおいて設定されても良い。通信番号の組は、少なくとも１つの一時通信番号を含む。一時通信番号は、通信番号の組から選択され、及び呼情報に割り当てられる。この方式では、一時通信番号の値の範囲が効果的に制限され、一時通信番号の使用が管理される。例えば、既存の通信番号の中で、現在使用されることがほとんどない番号が一時通信番号として使用されても良く、またはある区分における番号が一時通信番号として使用されても良く、例えば、「９５０００００００００〜９５０１１１１１１１１」の間の番号が一時通信番号として使用される。
【０１４５】
実施態様では、一時通信番号は、通信を確立する必要がある２つの通信端末、すなわち、第１の通信番号を使用する第１の通信端末及び第２の通信番号を使用する第２の通信端末に返却されても良い。このようにして、第１の通信番号及び第２の通信番号は、通信処理において一時通信番号と置き換えられても良く、よって、第２の通信番号及び第１の通信番号が開示されることを防止する。さらに、通信が確立される都度、基本通信サーバは、異なる一時通信番号を呼情報に割り当てても良く、すなわち、異なる一時通信番号は、異なる通信処理において第１の通信端末及び第２の通信端末に返却されても良い。このようにして、発呼者、着呼者または第三者が一時通信番号を取得する場合でさえ、発呼者、着呼者または第三者は、一時通信番号使用することによって他の当事者と連絡を取ることができず、よって、第２の通信端末及び第１の通信端末を使用するユーザをハラスメントから保護する。同一の通信処理では、第１の通信端末及び第２の通信端末に返却された一時通信番号は異なっても良く、例えば、両方が９５０００００００００であっても良く、または異なっても良く、例えば、第１の通信端末に返却された一時通信番号が９５０００００００００であり、第２の通信端末に返却された一時通信番号が９５０１１１１１１１１である。
【０１４６】
特定の適用シナリオでは、配達人は、カメラデバイスで構成されたモバイルスマートフォンを使用することを通じて、ｅｘｐｒｅｓｓ  ｗａｙｂｉｌｌ上のバーコード画像を捕捉することによって受取人への発呼を開始しても良い。モバイルスマートフォンは、配達人の通信番号、すなわち、第１の通信番号と関連付けられる。エクスプレスアイテムのｅｘｐｒｅｓｓ  ｗａｙｂｉｌｌ番号、すなわち、情報コードを取得するために、捕捉されたバーコード画像を構文解析した後、モバイルスマートフォンは、呼情報を基本通信サーバに送信しても良い。呼情報は、配達人の第１の通信番号及びｅｘｐｒｅｓｓ  ｗａｙｂｉｌｌ番号が付属される。呼情報を受信した後、基本通信サーバは、呼情報に割り当てるために、ローカルに設定された通信番号の組からの１つを一時通信番号として選択しても良く、または予め定められたルールに従って一時通信番号を生成しても良い。このケースでは、同一の一時通信番号が呼情報に割り当てられる。呼情報を受信した後、基本通信サーバはまた、呼情報に割り当てるために、ローカルに構成された通信の組などの通信番号の組からの２つの通信番号を一時通信番号として選択しても良く、または予め定められたルールに従って一時通信番号を生成しても良い。このケースでは、異なる一時通信番号が呼情報に割り当てられても良い。基本通信サーバは、受取人の通信番号、すなわち、第２の通信番号を取得するために、受信された呼情報に付属されたｅｘｐｒｅｓｓ  ｗａｙｂｉｌｌ番号に従って記憶されたデータを検索しても良い。次いで、基本通信サーバは、配達人のモバイルスマートフォン及び受取人の電話への呼要求を開始しても良く、第１の通信番号を使用する第１の通信端末、すなわち、配達人のモバイルスマートフォン及び第２の通信番号を使用する第２の通信端末、すなわち、受取人の通信端末に一時通信番号を返却しても良く、ならびに配達人のモバイルスマートフォン及び受取人の電話が呼要求を受け付けるとき、配達人のモバイルスマートフォンと受取人の電話との間で通信を確立しても良い。受取人の本当の通信番号及び配達人の本当の通信番号は、配達人のモバイルスマートフォンに返却された一時通信番号及び受取人の通信端末に返却された一時通信番号とそれぞれ置き換えられるので、配達人及び受取人は、両当事者の間の通信処理全体を通じて他の当事者の本当の通信番号を知ることができず、よって、両当事者の通信番号の開示を回避する。さらに、配達人のモバイルスマートフォンに返却された一時通信番号及び受取人の通信端末に返却された一時通信番号は、異なる通信処理において異なっても良く、すなわち、ある通信処理における配達人のモバイルスマートフォンに返却された一時通信番号及び受取人の通信端末に返却された一時通信番号は、そのような通信処理のみに使用されても良い。配達人が受取人と再度連絡を取るとき、配達人のモバイルスマートフォンに返却された一時通信番号及び受取人の通信端末に返却された一時通信番号はそれぞれ、前の一時通信番号とは異なっても良い。このようにして、配達人、受取人または第三者が一時通信番号を取得する場合でさえ、配達人、受取人または第三者は、一時通信番号使用することによっ���受取人または配達人と連絡を取ることができず、よって、潜在的な不正通話、広告、及びスパムショートメッセージから受取人及び配達人を保護する。
【０１４７】
いくつかのケースでは、第１の通信端末が第２の通信端末への通信要求を開始するとき、第２の通信端末は、第１の通信番号または第１の通信番号に割り当てられた一時通信番号を表示しても良く、それは、第２の通信端末のユーザに対して未知の番号となり得る。第２の通信端末のユーザは、発呼を開始する第１の通信端末のユーザの本当の識別及び本当の意図をユーザが知らないので通信要求を拒絶することがあり、結果として、通信効率が低くなる。上述した問題を解決するために、実施態様では、呼要求を開始するステップはさらに、第２の通信番号を使用する第２の通信端末にプロンプト情報を送信することを含んでも良い。プロンプト情報は、テキストまたは画像の形式で第２の通信端末にプッシュされても良い。第２の通信端末が呼要求を受信するとき、プロンプト情報は、第２の通信端末に同期して送信されても良く、それによって、第２の通信端末のユーザは、通信を開始するユーザの本当の識別を迅速かつ正確に知り、よって、他の当事者の本当の識別を知らないことがある第２の通信端末のユーザによってなされた通信要求の拒絶を減少させ、通信効率を改善する。
【０１４８】
特定の適用シナリオでは、配達人は、カメラデバイスで構成されたモバイルスマートフォンを使用することを通じて、ｅｘｐｒｅｓｓ  ｗａｙｂｉｌｌ上のバーコード画像を捕捉することによって受取人への発呼を開始しても良い。基本通信サーバが呼セットアップ要求を配達人のモバイルスマートフォン及び受取人の通信端末に送信するとき、受取人の通信端末は、受取人に対して未知である番号を表示しても良く、受取人は、それを不正通話、広告通話、または迷惑電話としてみなし、よって、応答を拒絶する。呼セットアップ要求を送信するとき、基本通信サーバは、プロンプト情報を受取人の通信端末に、同期プッシュなどでプッシュしても良い。例えば、プロンプト情報は、「こちらＸＸエクスプレス配送です、迷惑電話ではありません！」、「こちらＸＸエクスプレス配送電話です！お客さまがＴモール・ストアで購入された商品が到着しました。配達人からのこの電話に応答してください！」、または「こちらはＸＸ配送社からの配達人です。もし都合が悪く、今電話に応答できない場合、ＸＸＸＸに行くとお客さまのエクスプレスアイテムを受け取れます！」であっても良い。このようにして、受取人は、発呼ユーザの本当の識別及び本当の意図を迅速かつ正確に知ることができ、それによって、発呼を不正通話、広告通話または迷惑電話としてみなすことがある受取人によってなされる発呼の拒絶を減少させ、したがって、通信効率を改善する。
【０１４９】
図１１を参照されたい。本開示の実施態様はさらに、１つまたは複数のプロセッサ（複数可）１１０２またはデータプロセシングユニット（複数可）及びメモリ１１０４を含む、サーバ１１００を提供する。サーバ１１００はさらに、１つまたは複数の入力／出力インタフェース（複数可）１１０６及びネットワークインタフェース（複数可）１１０８を含んでも良い。メモリ１１０４は、コンピュータ可読媒体の例である。
【０１５０】
メモリ１１０４は、第３の受信モジュール１１１０、第３の獲得モジュール１１１２、第３の送信モジュール１１１４、及び通信確立モジュール１１１６を含む複数のモジュールまたはユニットをそこに記憶しても良い。
【０１５１】
第３の受信モジュール１１１０は、呼情報を受信しても良い。呼情報は、第１の通信番号及び情報コードが付属される。情報コードは、ｅｘｐｒｅｓｓ  ｗａｙｂｉｌｌ番号である。
【０１５２】
実施態様では、サーバは、発呼通信端末によって送信された呼情報を受信しても良い。呼情報は、発呼通信端末と着呼通信端末との間で通信が確立される必要があることを示し、基本通信サーバは、電気通信オペレータのサーバであっても良い。
【０１５３】
実施態様では、情報コードは、情報を一意に識別するために使用される定義コードであっても良い。例えば、情報コードは、ｅｘｐｒｅｓｓ  ｗａｙｂｉｌｌに印字され、及びエクスプレスアイテムの詳細情報を含むｅｘｐｒｅｓｓ  ｗａｙｂｉｌｌ番号であっても良く、商品包装バッグに印字され、及び商品番号を識別するために使用されるＥＡＮコードであっても良く、または紙媒体もしくは電子表示媒体上に提示され、ならびにオンラインディスカウント情報、ロッタリ情報、サービスブッキングなどの商人の商品情報に消費者をリダイレクトするために使用されるウェブサイトであっても良い。いくつかの実施形態では、情報コードは、例えば、ビジネスマンの個人ビジネスカード上の独自の署名もしくはカスタマイズされたユーザ名、または企業の冊子における企業の名前、アドレスもしくはウェブサイトなどの、他の形式にあっても良く、本開示の例示的な実施形態は、それらに対しいずれの制限も課さない。さらなる特定の実施形態では、情報コードは、ｅｘｐｒｅｓｓ  ｗａｙｂｉｌｌ番号である。
【０１５４】
実施態様では、第１の通信番号は、第１の通信端末を一意に識別することができ、第１の通信端末との通信は、第１の通信番号に発呼することによって確立されても良い。例えば、第１の通信端末は、通信番号を有することができる、加入者識別モジュール（ＳＩＭ）を含むモバイルスマートフォンであっても良い。第１の通信端末が第１の通信番号を有する加入者識別モジュールを使用する限り、第１の通信番号は、第１の通信端末に対応する。第１の通信番号は、携帯電話番号であっても良く、及びいずれの番号区分にも限定されない。
【０１５５】
実施態様では、呼情報は、予め定められたフォーマット有することができる、予め定められた内容を有する文字列であっても良い。呼情報は、第１の通信番号を使用する現在の通信端末と第２の通信番号を使用する通信端末との間で通信が確立される必要があることを示すために使用されても良い。呼情報は、第１の通信番号及び情報コードが付属され、第１の通信番号及び情報コードの両方は、呼情報の内容の一部であっても良く、及び予め定められたセパレータを使用することによって、または予め定められたバイト長を指定することによって区別されても良く、第１の通信番号及び情報コードのうちの１つが呼情報の内容の一部として使用され、及びもう一方が呼情報の付属として使用され、または第１の通信番号及び情報コードの両方が呼情報の付属として使用される。
【０１５６】
実施態様では、呼情報は、２Ｇ／３Ｇ／４Ｇ、Ｗｉ−Ｆｉ、またはＢｌｕｅｔｏｏｔｈ技術などの無線通信を通じて受信されても良い。
【０１５７】
第３の獲得モジュール１１１２は、情報コードに従って対応する第２の通信番号を獲得しても良い。
【０１５８】
実施態様では、情報コードは第２の通信番号に対応し、それは、情報コードと第２の通信番号との間で対応関係があることを示し、そのような対応関係を使用することによって、第１の通信番号を使用する通信端末と第２の通信番号を使用する通信端末との間で通信が確立される。例えば、第２の通信番号及び情報コードは、対応してデータテーブルによって記憶される。データテーブルにおける１つの列は、第２の通信番号を記憶するために使用され、もう一つの列は、情報コードを記憶するために使用される。対応する情報コード及び第２の通信番号は、同一の行に位置する。代わりに、情報コード及び第２の通信番号のインデックスは、対応して記憶されても良い。例えば、通信番号の組がローカルデータベースなどのデータベースにおいて設定される。シリアル番号が通信番号の組に対して系統立てられる。シリアル番号は、対応する第２の通信番号のインデックスである。対応する第２の通信番号は、インデックスによって一意に決定される。第２の通信番号のインデックス及び情報コードを対応して記憶することによって、情報コードに対応する第２の通信番号が一意に決定される。
【０１５９】
実施態様では、第２の通信番号は、通信端末を一意に識別することができ、通信端末との通信は、第２の通信番号に発呼することによって確立される。例えば、第２の通信番号を使用した通信端末は、通信番号を有する、加入者識別モジュール（ＳＩＭ）を含む携帯電話であっても良い。第２の通信番号は、陸線電話番号または携帯電話番号とすることができる、ユーザの電話番号であっても良く、及びいずれの番号区分に限定されない。
【０１６０】
第３の送信モジュール１１１４は、第１の通信番号を使用する第１の通信端末及び第２の通信番号を使用する第２の通信端末それぞれへの呼要求を開始しても良い。
【０１６１】
実施態様では、呼要求は、第１の通信番号及び第２の通信番号を獲得することに基づいて、基本通信サーバによって、第１の通信番号を使用する第１の通信端末及び第２の通信番号を使用する第２の通信端末それぞれに送信されて、２つの通信端末の間で通信を確立しても良い。
【０１６２】
通信確立モジュール１１１６は、第１の通信端末及び第２の通信端末がそれぞれ呼要求を受け付けるときに第１の通信端末及び第２の通信端末に対して通信を確立しても良い。
【０１６３】
本開示の実施態様では、基本通信サーバは、第１の通信番号を使用する通信端末と第２の通信番号を使用する通信端末との間で通信を確立するよう処理しても良く、それによって、通信確立処理全体で、第１の通信番号を使用する通信端末のユーザが他のユーザによって使用される第２の通信番号を取得する必要がない。このようにして、第２の通信番号を使用するユーザの番号のプライバシがより良好に保護され、すなわち、第２の通信番号が情報コードによって表され、それは、第２の通信番号の開示を回避する。
【０１６４】
上記実施形態で示されたモジュールは、１つもしくは複数のプロセッサもしくはデータプロセシングユニット、またはある機能を有する製品によって実装されても良い。説明を容易にするために、それは別個に説明される種々のモジュールに機能的に分割される。確かに、本開示を実装するとき、種々のモジュールの機能は、ソフトウェア及び／もしくはハードウェアの１つもしくは複数のインスタンスで実装されても良く、または同一の機能を実装するモジュールは、複数のサブモジュールもしくはサブユニットの組み合わせによって実装されても良い。
【０１６５】
当業者はまた、純粋なコンピュータ可読プログラミングコードによってコントローラを実装することに加え、方法のステップの論理プログラミングにより、コントローラは、論理ゲート、スイッチ、特定用途向け集積回路、プログラム可能論理コントローラ、及び組み込みマイクロコントローラなどの形式で同一の機能を実装しても良い。したがって、そのようなコントローラは、ハードウェア構成要素としてみなされても良く、種々の機能を実現するその装置は、ハードウェア構成要素の内部構造としてみなされても良い。種々の機能を実現する装置は、ハードウェア構成要素の方法または内部構造のいずれかを実現するソフトウェアモジュールとしてさらにみなされても良い。
【０１６６】
本開示は、プログラムモジュールなどのコンピュータによって実行されるコンピュータ実行可能命令の一般的なコンテキストで説明されても良い。一般的に、プログラムモジュールは、特定のタスクを実行し、または特定の抽象データタイプを実装するルーチン、プログラム、オブジェクト、アセンブリ、データ構造、クラスなどを含む。アプリケーションはまた、分散コンピューティング環境で実装されても良い。分散コンピューティング環境では、通信ネットワークを通じて接続されたリモート処理デバイスによってタスクが実行される。分散コンピューティング環境では、プログラムモジュールは、ローカル及びリモートコンピュータの記憶媒体（記憶装置を含む）に位置しても良い。
【０１６７】
実施形態の前述の説明によって、当業者は、本開示が必要な汎用ハードウェアプラットフォームを加えたソフトウェアを介して実装されても良いことを明確に理解することができる。そのような理解に基づいて、本開示の技術的解決策の本質は、ＲＯＭ／ＲＡＭ、ディスケット、ＣＤ−ＲＯＭなどの記憶媒体に記憶され、ならびにコンピュータデバイス（パーソナルコンピュータ、モバイル端末、サーバ、及びネットワークデバイスなどとすることができる）が本開示の実施形態または実施形態の一部に記載された方法を実行することを可能にする複数のコンピュータ実行可能命令を含む、コンピュータソフトウェア製品の形式で具体化されても良い。
【０１６８】
この明細書における例示的な実施形態は、進歩的な方式で、かつ異なる実施形態の間で同一または同様の部分のために説明され、例示的な実施形態の各々が他の例示的な実施形態との差異に注目するように相互に参照されても良い。本開示は、汎用または専用コンピュータシステムの環境または構成で使用されても良い。例は、パーソナルコンピュータ、サーバコンピュータ、ハンドヘルドデバイスまたはポータブルデバイス、タブレットデバイス、マルチプロセッサシステム、マイクロプロセッサベースシステム、セットアップボックス、プログラム可能電子デバイス、ネットワークＰＣ、小規模コンピュータ、大規模コンピュータ、上記いずれかのシステムまたはデバイスを含む分散コンピューティング環境を含む。
【０１６９】
本開示のいくつかの実施形態のみが上記説明され、当業者は、本開示の精神及び範囲から逸脱することなく、出願の開示に従って多くの方法で本開示の実施形態を変更または修正することができる。
【図１】
2018533856.tif 000003
【図２】
2018533856.tif 000004
【図３】
2018533856.tif 000005
【図４】
2018533856.tif 000006
【図５】
2018533856.tif 000007
【図６】
2018533856.tif 000008
【図７】
2018533856.tif 000009
【図８】
2018533856.tif 000010
【図９】
2018533856.tif 000011
【図１０】
2018533856.tif 000012
【図１１】
2018533856.tif 000013
【国際調査報告】
2018533856.tif 000014